Podtech/llm-jp-corpus-v4-ja_patent huggingface dataset:
(57)【要約】【課題】  ひざ掛けをかけていてもいつの間にかズレていたり落ちていたりすることがある。又席を立つ時ははずしイスに戻った時は、広げてかけ直す手間がかかっていた。その手間をかけずに席を離れたり、座ったりの行動がスムーズに行えるようにする。【解決手段】  ひざ掛け１に磁石２を取り付けることによって机３にひざ掛けの磁石部分が付くようにした。【選択図】図２
0003137131.tif 000002
【実用新案登録請求の範囲】
【請求項１】
ひざ掛けに磁石を取り取り付けることにより、磁石で机に付いているため、ズレたり落ちたりしないようにしたひざ掛け。
【考案の詳細な説明】
【考案の詳細な説明】
【考案が解決しようとする課題】
【０００１】  ひざ掛けをかけていると、ズレたり下に落ちていたりすることがある。又、席を立つ時ははずし席に戻った時は、広げて掛け直し面倒であった。
【課題を解決するための手段】
【０００２】  ひざ掛けに磁石を取り付けて、机の下側に、磁石部分が付くようにした。又、木製机の場合は、机の方にも両面テープ等により磁石を取り付け磁石付ひざ掛けの使用を可能にする。
【考案の効果】
【０００３】  ひざ掛けが磁石により机に付いているため、席を立つ時ひざ掛けを気にすることなく離れられ、戻る時はイスにかけたら垂れているひざ掛けを手前に引くだけでよい。取ったり掛けたりの面倒な手間がなくなった。ズレ落ちる心配もなくなった。
【図面の簡単な説明】
【図１】  ひざ掛けと磁石の付け位置を示した平面図である。
【図２】  考案した磁石付ひざ掛けの使用状況をしめす側面図である。
【符号の説明】
１    ひざ掛け
２    磁石
３    机
【図１】
0003137131.tif 000003
【図２】
0003137131.tif 000004
(57)【要約】【課題】  掛ける物に貼る壁掛け具を提供する。【解決手段】  接着剤付のフック用の鉤形または穴のあるシール状の壁掛け具である。【選択図】  図１
0003137140.tif 000002
【実用新案登録請求の範囲】
【請求項１】
穴またはフック用の鉤形をもつ接着面のあるシール状の壁掛け具。
【考案の詳細な説明】
【技術分野】
【０００１】
本考案は、壁掛け具に関するものである。
【背景技術】
【０００２】
カレンダーや額等の軽量物を壁に掛けるためにカレンダーや額そのものにフック用の金具等を付けている。  
【０００３】
メモ紙や広告紙、大切な薬袋等をクリップでとめて壁に掛けたり、粘着テープでとめたりしている。
【特許文献１】特許公開平９−２８５３７２号公報
【特許文献２】実用新案公開平７−１４９８０号公報
【特許文献３】実用新案公開平６−８６６２５号公報
【考案の開示】
【考案が解決しようとする課題】
【０００４】
従来の方法では、個別の物に壁掛け具を付けないといけないので、費用がかかるし、手間ひまもかかる。また、メモや広告等は押しピンで刺して貼ったり、磁石で金属面に挟みこんだりしている。
【課題を解決するための手段】
【０００５】
本考案は、前述のような問題点に鑑み、接着剤の貼付してある穴またはフック用の鉤形のついたシール状の壁掛け具を掛けるものに貼ることにより、より多くのものに、より多くの場所に簡単に掛けられるように汎用性をもたせたものである。
【考案の効果】
【０００６】
本考案は接着剤のついたシール状の壁掛け具のため、掛ける物の形状にかかわらず、掛ける物に本考案の壁掛け具を貼ることにより、簡単に、経済的に壁等に掛けられる。また、紙のように薄いものは同一フックに複数枚掛けられ、取り外しも容易で利便性が高くなる。
【考案を実施するための最良の形態】
【０００７】
次に本考案の実施の形態を実施例となる図面を参照して説明する。本図はフック用の鉤形のついた例を示している。本体１の上部にフック用の鉤形２があり、下部に接着剤３が貼付してあり、その上に剥離可能なシート４が貼ってある。
【０００８】
本考案の壁掛け具を使用するときは、シート４を剥がし、掛ける物に本体１を貼り付ける。本考案の壁掛け具がしっかりと接着したことを確認した後、本体１の鉤形２を壁等に設置してある押しピンやフック等に引っ掛けて使用する。鉤形２の部分は穴にして壁に設置してあるフックに差し込んで使用してもよい。さらに、重い額のようなものには、複数個の本考案の壁掛け具を使用してもよいし、本考案の大型のものを用いてもよい。なお、本考案のシールの形状は、この形に限らず、キャラクターの形にしてもよいし、形や大きさは自由にできる。
【図面の簡単な説明】
【０００９】
【図１】本考案の斜視図である。
【符号の説明】
【００１０】
１は壁掛け具本体
２はフック用の鉤形
３は接着剤
４は剥離可能なシート        
【図１】
0003137140.tif 000003
(57)【要約】      （修正有）【課題】メモ書きされ一時的にいずれかの場所に貼り付けられた付箋を、システム手帳やバインダーにファイリングすることで、保存や反復的な閲覧を可能にする。【解決手段】付箋の片端付近に、折り曲げや切り離しを目的とした「ミシン目」と、この「ミシン目」によって線対称となる位置にファイリング用の１対以上の「リング穴」を設ける。これによりまずミシン目に沿って付箋の片端を折り曲げ、あるいは切り離すことで付箋の粘着部を無効化し、次いでリング穴によって付箋そのものをシステム手帳や専用のファイルにファイリングできるようにする。【選択図】図１
0003137134.tif 000002
【実用新案登録請求の範囲】
【請求項１】
片端付近に「折り曲げ・切り離し」が可能なミシン目を設け、さらにこのミシン目によって線対称となる位置に１対以上のファイリング用のリング穴を持つ機能拡張性の高い付箋に関する。
【考案の詳細な説明】
【技術分野】
【０００１】本考案は折り曲げ・切り離しを可能にするミシン目と、一般的なシステム手帳リング規格・バインダーリング規格に準拠した１対以上のファイリング用のリング穴を備えた付箋に関する。
【背景技術】
【０００２】付箋はその片面の端部に粘着部を持たせて貼り付けを可能にすることで、本や書類の目的のページ等を物理的にマーキングする目的で使用されるほか、主として一時的に付箋に書き込んだメモ内容を保持・貼付しておく目的で使用される。
【考案の開示】
【考案が解決しようとする課題】
【０００３】従来の付箋はメモ書きされた内容の一時的な保持・貼付には利便性の高いものであったが、一度メモされた付箋は継続利用性に乏しく、反復的・集約的な使用には適していなかった。また基本的には「使い捨て」で使用するものであってその環境負荷も懸念された。
【課題を解決するための手段】
【０００４】付箋の一端に、容易に折り曲げられることを目的とした「ミシン目」と、「ミシン目」の両端にファイリングすることを目的とした「ミシン目」により線対称となる１対以上の「リング穴」を設ける。これによりまずミシン目に沿って折り曲げ、あるいは切り離すことで付箋の粘着部を無効化し、次いでリング穴によって付箋そのものをシステム手帳や専用のファイルにファイリングできるような形状を提供する。またこれら「ミシン目」「リング穴」は従来の“貼付用粘着部の粘着力を利用した束”という付箋の一般的な提供形態を損なうものではない。
【考案の結果】
【０００５】本考案によって、メモ書きされ一時的にいずれかの場所に貼り付けられた付箋はシステム手帳やバインダーにファイリングされることで保存や反復的な閲覧に優れたものとなる。また本考案により「使い捨て」による環境負荷を軽減することが可能になる。
【考案を実施するための最良の形態】
【０００６】本考案における付箋のサイズと施されるリング穴の仕様は一般的に市場に流通しているシステム手帳やファイルのリング形状の仕様・寸法に準拠しているべきである。これによってより汎用性を伴った反復的利用・集約的利用が可能になる。
【実施例】
【０００７】オフィス等で一時的にメモを書き込んだ付箋に保存や継続的な参照の必要性が発生する場合、本考案における付箋のミシン目に沿って折り曲げ、あるいは切り離したうえでシステム手帳やファイルにそのまま綴じ込むことで、機能的な保存が可能となり、集約的な保存と反復的な閲覧が可能となる。
【図面の簡単な説明】
【０００８】
【図１】正面図
【図２】付箋をミシン目に沿って折り曲げようとする場合の立体図である。Ａ部の片面には貼付用の粘着剤が塗布してある。添付剤塗布部を内側にして一点鎖線によって折り曲げた場合には粘着剤によって粘着剤を塗布したＡ部とＢ部の一部が接合する。このときＡ部、Ｂ部の双方のリング穴の位置は完全に一致する。
【図３】ミシン目に沿って付箋を切り離した場合の立体図である。Ａ部は切り離され、ファイリング可能なＢ部が残る。
【符号の説明】
【０００９】１貼付および折り曲げ時の接合のための粘着剤塗布部分
２書き込み用領域
３リング穴
【図１】
0003137134.tif 000003
【図２】
0003137134.tif 000004
【図３】
0003137134.tif 000005
(57)【要約】【課題】  歩道の舗装におけるバリアフリー対策の歩道上の水溜りを、車道側に排出する排水管内包一体型縁石を工場で生産する。【解決手段】  本考案は、車道側から歩道側に向けて角度０度から角度３５度の範囲で傾斜させて貫通する排水管を縁石の基部の上部に設けて排水する排水装置をコンクリートで固めて内包する縁石である。排水管が内包されているので、製品が規格化され精度が、格段に高かまる。又、排水管が、縁石に内包のため排水機能装置の施工手間が、全く要らず施工も極めて容易となり経済的効果も大きい。【選択図】図１
0003137135.tif 000002
【実用新案登録請求の範囲】
【請求項１】
車道側から歩道側に向けて角度０度から角度３５度の範囲で傾斜させて貫通する排水管を、縁石の基部の上部に設け排水する排水装置として、コンクリートで固めて内包する縁石。
【考案の詳細な説明】
【技術分野】
【０００１】  本考案は、歩道と車道との境界に沿って敷設される排水管内包縁石に関する。
【背景技術】
【０００２】  郊外の広い道路や町の市街地では、歩道と車道の間にコンクリートブロックを並べて設け歩車道の境界としている。そのコンクリートブロックは、長方形の立方体で断面は台形の形をしておりコンクリートで成型している。一般的には縁石と言われている。従来の縁石からの排水方法として車道側に流入させないで車道路面に設けた集水桝に直接流入させるＬ型歩車道境界ブロックがある。及び集排水用コンクリートがある。又、縁石自体に溝を設けて歩道側の雨水等を、車道側に流入させる縁石がある。同じく、縁石基部と縁石上部の間に排水性縁石を挟み込み一体成型した縁石がある。【０００３】  従来の水抜き金物は、人の手作業で取り付けられるため縁石の上方面よりとび出して施工される恐れがあり冬場の除雪作業時、除雪車のグレーダーの刃に水抜き金物が引っかかり破損してしまうことが考えられる。また水抜き金物の取り付け作業にかなり時間がかかる事が考えられる。【０００４】  本考案は、排水装置内包縁石について、すでに特許を収得している同一人物による改良の出願である。【０００５】
【特許文献１】  特開２００５−２３１２９９号  公報
【考案の開示】
【考案が解決しようとする課題】
【０００６】  現在の施工方法では、従来の水抜き金物の取り付けは、精度的にむらがあり冬場の除雪作業時、除雪車のグレーダーの刃に引っかかり水抜き金物が破損したり、かつ施工に時間を費やす欠点がある。【０００７】  本考案は、このような従来の問題を解決しようとするものであり水抜き金物を効率よく取り付け且つ、精度が一定しており破損等の恐れがない縁石を実現することを目的とする。
【課題を解決する手段】
【０００８】  本考案は、上記目的を達成するために排水管を工場にて縁石に内包し共打ちをして一体成型にしたものである。
【０００９】  図面を追いながら説明すれば、図  １及び、図  ２の車道面  １と歩道面  ２の高さが同じ場合又は、車道面  １側より歩道面  ２側の高さが高い場合で排水管がすべてコンクリート縁石の内部に内包でき且つ排水管の歩道側の雨水等の飲み口が、コンクリート縁石に内包した排水管との間のコンクリートの厚さを絞め固めたコンクリートが剥離しない厚みにする。そうする事により排水管を、板材で覆う必要がなくなる。
【考案の効果】
【００１０】  上述したように本考案の排水管内包縁石は、工場生産にて精度が高く規格化され従来の縁石を敷設するのと全く同じ方法にて排水管機能を同時に敷設でき施工手間は全くかからない画期的な排水管内包縁石を提供できる。
【考案を実施するための最良の形態】
【００１１】  以下、本考案の実施の形態を図１〜２に基づいて説明する。【００１２】  図１〜２は、本考案による排水管内包縁石を示す。この排水管内包縁石は、排水管３が縁石に内包し共打ち一体成型されている。【００１３】  排水管と縁石の共打ち一体成型工法として、流し込み工法とバイコン工法がある。【００１４】  まず一般的な流し込み工法で説明する。従来の流し込み縁石用型枠の壁面に排水管を固定する冶具を取り付けそこに排水管３を入れて生コンクリートを流し込み成型する。【００１５】  つぎにバイコン工法について説明する。バイコン工法は水とセメント比が３８％以下で波振動と圧縮の締め固めにより成型する超硬練コンクリートである。かなりの振動と圧力がかかるため排水管３に型枠の両サイドの壁面に当る長さの棒を固定する。後は流し込み工法と同じ要領で従来のバイコン縁石用型枠に取り付け超硬練コンクリートを注入し波振動と圧縮の締め固めにより成型する。【００１６】  排水管３の素材は本実施例では、鋼鉄製角パイプ、錆止めとして亜鉛メッキ塗装を施している。それ以外にもステンレス製、アルミ製、ＦＲＰ製等でも製作でき、素材及び表面塗装は特にこだわらない。又、排水管として角パイプ以外にも丸パイプ、手作り品等でも良く形状及び、大きさ等も特にこだわらない。
【図面の簡単な説明】
【００１７】
【図１】  本考案の実施形態を示す排水管内包縁石の断面図
【図２】  同上
【図１】
0003137135.tif 000003
【図２】
0003137135.tif 000004
(57)【要約】【課題】  水を使用せずに長期保存可能な花（プリザーブドフラワー等）の特徴を活かし、身近な美的感覚を充足する花器を提供する。【解決手段】  底部材、甲部材、その他の必要な部材を組み合わせて製作された短靴の履き口の下方空間内に、保持ブロックを固定して設置したことを特徴とするプリザーブドフラワー等の花器である。また、前記花器において底部材の外底に吊り具を設けた花器である。【選択図】  図１
0003137712.tif 000002
【実用新案登録請求の範囲】
【請求項１】
底部材、甲部材、その他の必要な部材を組み合わせて製作された短靴の履き口の下方空間内に、保持ブロックを固定して設置したことを特徴とするプリザーブドフラワー等の花器。
【請求項２】
底部材の外底に吊り具を設けた請求項１記載のプリザーブドフラワー等の花器。
【考案の詳細な説明】
【技術分野】
【０００１】
プリザーブドフラワー等を用いた装飾体を製作するに当たり、プリザーブドフラワー等を保持ないし収容する花器に関する。
【背景技術】
【０００２】
生け花による空間の装飾は、生花を用いるために花瓶に水を入れてこれに挿すことが必要である。これに対して、水を使用せずに長期保存できる花（プリザーブドフラワー等）を用いた空間装飾が行われている。水を使用せずに長期保存できる花の製作については、いろんな技術があるが、このような花自体は公知である。水を使用しないために、従来の花瓶に相当する花の収容体ないし保持体としてはいろんな物が使用できる。例えば、小物入れ付き花器（特許文献１）、鏡付きのもの（特許文献２）などが提案されている。
【特許文献１】特開２００５−１７７４０１号公報
【特許文献２】特開２００５−１７７４００号公報
【考案の開示】
【考案が解決しようとする課題】
【０００３】
水を使用せずに長期保存可能な花（プリザーブドフラワー等）の特徴を活かし、身近な美的感覚を充足する花器を提供する。
【課題を解決するための手段】
【０００４】
本考案は、底部材、甲部材、その他の必要な部材を組み合わせて製作された短靴の履き口の下方空間内に、保持ブロックを固定して設置したことを特徴とするプリザーブドフラワー等の花器である。また、前記花器において底部材の外底に吊り具を設けた花器である。
【０００５】
本考案の「短靴」は、履き口が足のくるぶしより少し上方にある例えばバスケット靴タイプのような靴と、それより履き口の低い靴を言う。短靴自体は公知の物品であり、いろんなデザイン、意匠が存在することが知られている。本考案の短靴は、その外観において、これらのデザイン、意匠を限定するものではない。また、革、布などの材質を限定するものではない。短靴は、元来、履用を目的とし美的外観を考慮して、その機能を発揮するように底部材、甲部材、その他の部材を組み合わせて製作されている。底部材には、外底、中間底、中底、中芯、その他の部品があり、甲部材には、甲表、甲裏、前甲、腰、その他の部品があり、これら部品の形状選択と組み合わせによって、短靴の機能と美的外観の目的が達せられている。
本考案の短靴は、底部材、甲部材、その他の必要な部材を組み合わせて製作された靴であるが、花器として使用するものであるから、必ずしも履用機能を要しない。しかし、身近な美的感覚を充足し、短靴の質感を出すために、外観は、履用目的の短靴と同じ外観に形成されているものとする。
【０００６】
短靴の履き口から靴の内部を下方に臨む空間（以下「履き口の下方空間」と言う）内に保持ブロックを固定して設置する。
保持ブロックは、プリザーブドフラワー等の花梗ないし茎を挿してプリザーブドフラワー等を支え、保持する為のものである。硬質のフェノール発泡体やスチレン発泡体などが使用される。保持ブロックの形状は、上記目的を達するものであれば、角柱状でも円柱状でも、その他の適宜な形状でも構わない。普通は、保持ブロックの上面が履き口を越えないようにするが、履き口を越えても花や葉によって覆われて美観を損なわない場合もあり得る。保持ブロックは、一般に、その底面を底部材の踵部接足面に固定して設置する。
【０００７】
本考案の「プリザーブドフラワー等」とは、「水を使用せずに長期保存可能な花」を指し、プリザーブドフラワー、ドライフラワー、造花などの例がある。これらは、いずれも公知の物品である。
【考案の効果】
【０００８】
本考案は、公知のプリザーブドフラワー等の保持体として、公知の短靴をその通常の履用目的に使用せず、花器として用途開発をすることによって、身近な美的感覚の装飾空間を提供する。このような用途では、短靴は、左右一対である必要はなく、また、履用機能は必要ではないから、半端になったものや、設計・製造上のミスで履用機能が保てないものなども使用出来て、産業経済上のプラスになる。
本考案は、底部材、甲部材、その他の必要な部材を組み合わせて製作された短靴で、その外観は履用目的の短靴と同じであるから、見る人に質感を持って身近な美的感覚を与えることが出来る。
底部材の外底に吊り具を設けた花器にあっては、外底面を平面上ではなく斜面上や垂直面上に置く場合に、吊り具が花器を掛ける作用をする。その際、保持ブロックがプリザーブドフラワー等を支えているので花や葉の位置関係が崩れることはない。
【実施例】
【０００９】
（実施例１）
図１は、本考案の実施例の外観図である。図２は、本考案の花器の縦断面模式図である。
花器である短靴１は、底部材Ａと甲部材Ｂ及び紐などのその他の部材から組み立てられている。短靴１の履き口２の下方空間３に角柱状の硬質フェノール発泡体からなる保持ブロック５を配置し、保持ブロック５の底面を短靴の底部材Ａの接足面４に接着して固定する。使用に当たっては、プリザーブドフラワー等の花梗または茎を保持ブロック５に挿して固定し、花や葉を履き口２の上方に出して装飾体とする。
【００１０】
（実施例２）
図３は、実施例２の外底踵部の接地面を局部的に示す図である。実施例１において、吊り孔８を設けた薄い金属製の吊り具７を外底踵部の接地面６に接着固定する。吊り具７を使用しないときは、外底のエッジ箇所から曲げ、外底の側面に沿わせておくと良い。吊り具７は、外底爪先部の接地面に付ける場合もあり得る。
【図面の簡単な説明】
【００１１】
【図１】本考案の実施例の外観図である。
【図２】本考案の花器の縦断面模式図である。
【図３】実施例２の外底踵部の接地面を局部的に示す図である。
【符号の説明】
【００１２】
１    短靴
２    履き口
３    履き口の下方空間
４    接足面
５    保持ブロック
６    接地面
７    吊り具
８    吊り孔
【図１】
0003137712.tif 000003
【図２】
0003137712.tif 000004
【図３】
0003137712.tif 000005
(57)【要約】【課題】この考案は、常に、愛玩動物と一体に装着でき、動物臭を感じさせないように配慮した愛玩動物用消臭具を開発・提供することにある。【解決手段】ピートモス、ゼオライト、有用微生物等を主成分とする消臭材（１）を設け、該消臭材（１）を通気性を有するカートリッジ（２）に充填し、この消臭材（１）を充填したカートリッジ（２）を、バンダナ（３）の裏面に形成したカートリッジ（２）収納用袋（４）に挿入し、該カートリッジ（２）を取り替え可能に装着したことを特徴とする愛玩動物用消臭具から構成される。【選択図】      図２
0003137769.tif 000002
【実用新案登録請求の範囲】
【請求項１】
ピートモス、ゼオライト、有用微生物等を主成分とする消臭材（１）を設け、該消臭材（１）を通気性を有するカートリッジ（２）に充填し、この消臭材（１）を充填したカートリッジ（２）を、バンダナ（３）の裏面に形成したカートリッジ（２）収納用袋（４）に挿入し、該カートリッジ（３）を取り替え可能に装着したことを特徴とする愛玩動物用消臭具。
【考案の詳細な説明】
【技術分野】
【０００１】
この考案は、愛玩動物用消臭具に関する。
【背景技術】
【０００２】
従来、犬等の愛玩動物は、室内で飼育され、家族と同居しており、いわば、家族の一員といっても過言ではなく、常に、綺麗に着飾っている。
【０００３】
しかし、愛玩動物といえども、どうしても動物臭がするため、常に、身体を清潔にすると共に、身体を無臭に保つ必要がある。
【考案の開示】
【考案が解決しようとする課題】
【０００４】
そこで、この考案は、常に、愛玩動物と一体に装着でき、動物臭を感じさせないように配慮した愛玩動物用消臭具を開発・提供することにある。
【課題を解決するための手段】
【０００５】
この考案による課題を解決するための手段としては、愛玩動物が装着する部位に、消臭材を装着することにより、常に、愛玩動物と一体に消臭材を設けた愛玩動物用消臭具である。
【考案の効果】
【０００６】
この考案によると、バンダナの一部を利用して、消臭材を装着するため、愛玩動物と一体に消臭材が移動し、動物臭を防止でき、不衛生とならず、バンダナを汚れた場合には、収納袋よりカートリッジを取り出して、バンダナだけを洗って乾かした後、再度、カートリッジを装着できる等極めて有益なる効果を奏するものである。
【考案を実施するための最良の形態】
【０００７】
以下、この考案の好適な実施の形態について、愛玩動物用バンダナであって、しかもその裏面に消臭材カートリッジの挿入袋を設ける愛玩動物用消臭具である。
【実施例】
【０００８】
この考案の一実施例を図面に基づいて詳細に説明すると、ピートモス、ゼオライト、有用微生物等を主成分とする消臭材（１）を設け、該消臭材（１）を通気性を有するカートリッジ（２）に充填し、この消臭材（１）を充填したカートリッジ（２）を、バンダナ（３）の裏面に形成したカートリッジ（２）収納用袋（４）に挿入し、該カートリッジ（２）を取り替え可能に装着したことを特徴とする愛玩動物用消臭具から構成される。
【０００９】
そして、バンダナ（３）の収納用袋（４）は、該収納用袋の入口部（Ａ）を、収納用袋の他の部分より狭く形成しておき、バンダナ（３）を装着した愛玩動物の激しい動きにより、消臭材（１）を入れたカートリッジ（２）が収納用袋（４）より飛び出し難く構成してもよい。
【００１０】
また、粉状の消臭材（１）を充填したカートリッジ（２）は、その効き目が喪失すると、新しいものに取り替えて使用し、さらに、バンダナ（３）の形状は、この考案の実施例に示したものに限られるものではない。
【産業上の利用可能性】
【００１１】
この考案の愛玩動物用消臭具の技術を確立し、実施・販売することにより、産業上利用可能性を有するものである。
【図面の簡単な説明】
【００１２】
【図１】この考案の一実施例を示す正面図である。
【図２】この考案の一実施例を示す一部拡大欠截背面図である。
【図３】この考案に使用状態を示す説明図である。
【符号の説明】
【００１３】
１  消臭材
２  カートリッジ
３  バンダナ
４  収納用袋
Ａ  入口部
【図１】
0003137769.tif 000003
【図２】
0003137769.tif 000004
【図３】
0003137769.tif 000005
(57)【要約】      （修正有）【課題】左右対称の運動の中でバランスのとれた体つくりと球技に必要とされるボディターンの動きを容易に習得でき、また屋内外の狭いスペースに於いて年齢を問わず誰でもが用具を使い運動が出来るようにする。【解決手段】ボディスイング練習用具の本体は、シャフト部２０〜３０ｃｍの棒状体１とその両端に６００〜９００ｇの錘２を備えた用具である。それに運動を効率よく行う為の部品を装具し、その装具部品として切り返すタイミングを知らせる下げ振り体３(棒状で常に垂直を示す可動体)、運動のリズムをつくるリズム部(ボールの可動により音を発生させる)、力量に応じ長さ調節が簡単に出来る(ビス止め)アジャスター部５から成り立つ。【選択図】図１
0003137710.tif 000002
【実用新案登録請求の範囲】
【請求項１】
直径が２０ｍｍ〜３０ｍｍ棒状体と、前記棒状体の両端部に６００〜９００ｇの重量の長方体の錘とを備えた、ボディスイング練習用具。
【請求項２】
棒状体は、１５０〜２３０ｃｍまで自在に調節手段を有する、請求項１記載のボディスイング練習用具。
【請求項３】
長方体の移動方向の変化に伴って音が出る、可動体を設けた請求項１記載のボディスイング練習用具。
【請求項４】
棒状体の中心付近に前記棒状体と直角に、運動の切り替えのタイミングが分かる下げ振り体を設けた請求項１記載のボディスイング練習用具。
【考案の詳細な説明】
【技術分野】
【０００１】
本考案用具はゴルフ、野球、テニス等ボールを打つスポーツの中で体得が非常に難しいとされる、ボディターン(体の大きい筋肉である脚と胴体を回す、それに伴って腕、手は付いて回る事を一般的に言う)を容易に習得出来る用具に関するものである。
【背景技術】
【０００２】
ゴルフや野球の打つ練習用具として従来から考案された多くは、バット、クラブの代用品として、スイングの中でボディターンを習得する用具が多く、その目的で案出されたものとして、(特許文献１参照)や(特許文献２参照)などがある。
【特許文献１】特開２００６−２９６４６２号公報
【特許文献２】特許登録第３４７７１９２号公報
【考案の開示】
【考案が解決しようとする課題】
【０００３】
バットスイングに見られるように一定方向だけでのボディターン習得の振り回しに於いては、運動が片寄り、体の一部が酷使される事で体全体のバランスが損なわれる、また筋肉も一部分に負担が強いられ、故障の原因になる恐れがある、それに対して本考案は運動が左右対称で一部の筋肉に負担をかけずにバランスの良い体つくりと、ボディターンを容易に習得出来るのが目的である。
【課題を解決するための手段】
【０００４】
本考案のボディスイング練習用具は、直径２０〜３０ｍｍ棒状体と、この棒状体の両端部に６００〜９００ｇの重量の長方体の錘とを備え、棒状体を体を中心にして回転させる事により、ボディターンの練習を効果的に行うものである。
【考案の効果】
【０００５】
ボディターンを習得する事で、打者がボディスイングをして打ったボールは遠くに飛ぶ事が分かっている、また両端部に長方体の錘を着けたのは平らな面を作る事でスイング軌道の確認を見易くしたもので、これによって打ったボールの方向性が良くなるのである、これには幅広い球技の愛好家に使って頂く事を目的としている。
【０００６】
打者がボールを打つ為の基本運動であるボディターン、それを習得する用具であるが、この用具での運動はボールを打たないで動きを覚える為、広い場所を必要としない、気軽に庭先、部屋等でも用具を使用する事が出来、本用具は簡単な作りであるため安価で製作が出来、多くの人に提供出来るように工夫をした。
【考案を実施するための最良の形態】
【０００７】
以下、本考案の最良の実施形態について、図面を参照しながら説明する。
【実施例】
【０００８】
図１は本考案の実施形態に係るボディスイング練習用具を示す断面図である、また図２はボディスイング練習用具の斜視図である、この用具の構成を大別すると、手で持つ１は棒状体のシャフト部とシャフト部の両端部に長方体の２は錘を備えた錘部とで形成される、本用具のシャフト部１は２０〜３０ｍｍ棒状で子供から、女性、老人に至るまで握り易い太さにした、錘部２は６００〜９００ｇの長方体で、使用者の筋力や力量に合った重さを選択出来るようにし、６００ｇの基本の長方体に１００ｇの錘を追加して調節してもよい。また錘を４４ｃｍ×１９ｃｍ程度の長方体にしたのはスイング軌道の確認が見易いのとボールを打つ時の面(フェース)をイメージし易くするものである。長方体の寸法は使用者によって多少の変更を行ってもよい。
３は下げ振り体で、シャフト部の中心付近にシャフト部とほぼ直角に設けられており、肩幅に開いた両膝を下げ振り体が通過した時に切り返しを始動する事により運動のタイミングを一定に保つ目的を担っている、４はリズム部で、パイプの中のボール(可動体)が運動の切り替え時に移動する事で音を発するもので運動の調子(リズム)を取り易い効果がある、５はアジャスター部で、長さ調節を表し、握る棒状の外径に合う内径パイプにより１２０〜２３０ｃｍまで長さ調節を簡単に出来るようにした。
【０００９】
次に動作について説明する。球技の基本運動であるボディターンを習得する用具で、最初に棒状のシャフト部１を図３の要領で体の中心において両手で軽く持ち胸まで上げ、体軸をつくり右方向に回し、図４に示すように約９０度まで回転する。その後、脚、腰、胴体を左に回転させるが、このとき腕は錘部２の重さで同時には動かなく、回転により捻られた胴体に引っ張られ腕は元に戻ろうとする。この時間差がこの用具の求めるところであり、回す大きさは胸、用具共右に９０度、左に９０度、計１８０度の動きで脚、腰、胴体が常に動作を先行する。下げ振り体３が右の膝を超えた時が左への切り返しであり、左はその逆の運動である、リズム部４での音を聞きながらスムーズな連続の切り返し運動を行う。図４、図５のように左右に切り返す時に強い捻りが生ずるが、その運動が胴体の筋力を鍛える効果がある。尚シャフト部１は円形を変形させた例えば楕円のような形状でもよい。また錘はその重さを調整できるようにしても良く、また正しい運動を行う為に、CD(ビデオ)による指導を付けると練習効果が高まる。
【産業上の利用可能性】
【００１０】
この考案した用具は例えば学校の授業、野球、ゴルフ等運動クラブの基本練習用具としての幅広い活用、また衰えた筋力を元に戻すリハビリ等にも効果が期待される。
【図面の簡単な説明】
【００１１】
【図１】本考案の実施例を示す断面図。
【図２】同、実施例を示す斜視図。
【図３】同、使用状態を示す図。
【図４】同、使用状態を示す図。
【図５】同、使用状態を示す図。
【符号の説明】
【００１２】
１  シャフト部(棒状体
２  錘
３  下げ振り体
４  リズム部
５  アジャスター部(調整手段)
６  ボール(可動体)
【図１】
0003137710.tif 000003
【図２】
0003137710.tif 000004
【図３】
0003137710.tif 000005
【図４】
0003137710.tif 000006
【図５】
0003137710.tif 000007
(57)【要約】      （修正有）【課題】プランター自体に貯水能力があり、水栽培等の植物栽培に、散水のための労力が少ない二重プランターを提供する。【解決手段】プランターを二重構造にして、水を貯水出来るプランターにする。外側に設けるプランターの材質は、貯水の状態が何時でも分かるように透明のプラスティックとする。外側に設けるプランターには、排水口は設けない。【選択図】図１
0003137798.tif 000002
【実用新案登録請求の範囲】
【請求項１】
従来のプランターの外側を、間隔を設けて二重のプランターとする。
【請求項２】
外側に設けるプランターの材質は、貯水の状態が何時でも分かるように透明のプラスティックとする。
【請求項３】
外側に設けるプランターには、排水口は設けない。
【考案の詳細な説明】
【技術分野】
【０００１】  本考案は、マンションのベランダ、ビルの屋上で草花や野菜を育てるため、水を貯水する構造を備えたプランターに関するものである。
【背景技術】
【０００２】  従来のプランターには、全て排水口が設けてあり、水を貯水する構造のものが無かった。
【考案の開示】
【考案が解決しようとする課題】
【０００３】  従来のプランターは、水はけが良く、夏季のベランダ、ビルの屋上では水の蒸発が著しく、毎日のように散水が必要で、大変な労力を要していた。特に、水栽培が可能であるニガウリ、トマトの栽培は、不可能に近かった。
【課題を解決するための手段】
【０００４】  従来のプランターの外側を、間隔を設けて二重のプランターとする。外側に設けるプランターの材質は、貯水の状態が何時でも分かるように透明のプラスティックとする。外側に設けるプランターには、排水口は設けない。
【考案の効果】
【０００５】  プランターが貯水可能であるため、散水の手間が省け、特に水栽培の出来るニガウリなどは、夏季のベランダの太陽光をほぼ遮断し、マンションベランダの緑化、屋上緑化、壁面緑化、ひいては地球温暖化防止に少しでも貢献出来るものと確信しています。
【考案を実施するための最良の形態】
【０００６】  従来の長方形、円形のプランターを各種サイズの二重プランターとして製造し、ガーデニング等に活用する。
【実施例】
【０００７】  考案者は、自宅のベランダで、二重プランターを使用して役１２年間にわたりニガウリを栽培し、太陽光遮断や食生活に利用しています。
【産業上の利用可能性】
【０００８】
【図面の簡単な説明】
【０００９】
【図１】二重プランターを示した正面図である。
【図２】二重プランターを示した平面図である。
【図３】二重プランターを示した断面図である。
【図１】
0003137798.tif 000003
【図２】
0003137798.tif 000004
【図３】
0003137798.tif 000005
【手続補正書】
【提出日】平成19年8月30日(2007.8.30)
【手続補正１】
【補正対象書類名】実用新案登録請求の範囲
【補正対象項目名】全文
【補正方法】変更
【補正の内容】
【実用新案登録請求の範囲】
【請求項１】
プランターの外側を、間隔を設けて水を貯水出来る事を特徴とした二重プランター。
【請求項２】
外側に設けるプランターの材質は、貯水の状態が一目で分かるように、透明のプラスティック製であることを特徴とする請求項１記載の二重プランター。
【請求項３】
外側に設けるプランターには、貯水するために、排水口が設けられていない事を特徴とする請求項１記載の二重プランター。
【手続補正２】
【補正対象書類名】明細書
【補正対象項目名】全文
【補正方法】変更
【補正の内容】
【考案の詳細な説明】
【技術分野】
【０００１】  本考案は、マンションのベランダ、ビルの屋上で草花や野菜を育てるため、水を貯水する構造を備えたプランターに関するものである。
【背景技術】
【０００２】プランターには、全て排水口が設けてあり、散水した水はすぐに流れ出ていた。
【考案の開示】
【考案が解決しようとする課題】
【０００３】プランターは水はけが良く、夏季のベランダ、ビルの屋上では水の蒸発が著しく、散水は毎日必要で、大変な労力を必要とする。
特に水栽培に適している苦瓜、ミニトマトの栽培は不可能に近い。
【課題を解決するための手段】
【０００４】プランターの外側を、間隔を設けて水を貯水出来る事を特徴とした二重プランターで、外側に設けるプランターの材質は、貯水の状態が一目で分かるように、透明のプラスティック製であることを特徴とし、かつ、内側のプランターの底部には、水栽性植物の成長に合わせて、貯水している水を摂取できる吸収口を設け、外側のプランターには排水口は設けられていない。
【考案の効果】プランターが貯水出来るので、夏季の散水の手間が省ける。苦瓜のつるは、高さが、約６メーター近くまでのび、沢山の葉をつけて成育し、夏季の強い陽ざしを殆ど遮断してくれます。
このグリーンのカーテンは、室内への太陽熱伝導を和らげ、エアコンの電気消費量を下げ、地球温暖化防止に少しでも役立てばと思っています。
【考案を実施するための最良の形態】
【０００６】水栽培に適した植物用の二重プランターを各種製造し、マンション、ビル、学校などの窓側に緑のカーテンを作り、夏季の太陽熱の遮断及び都市緑化、ひいては地球温暖化防止に少しでも役立てればと思います。
【実施例】
【０００７】考案者は、夏季には自宅のマンションベランダで、二重プランターを使用して、約１２年間にわたり苦瓜を栽培しています。
毎年５月に、２つのプランターに３本づつの苗を植え、苦瓜が伸びていくための柵を、天井面まで斜めにセットし、両サイドの窓への陽射しはほぼ遮断されます。夏季の外気温度差は、約３度程下がっています。
また、７月当初の苦瓜のなり始め時は、薩摩産で、直径、約５センチ長さ３０〜４０センチのものが、２０個ほど収穫できます。
その後は、２０センチ程度の小ぶりとなりますが、９月上旬頃までで、１００個ほどの苦瓜が収穫でき、ビタミンＣ豊富な食材として色々な料理に使っています。
９月中旬頃から苦瓜の葉は大変美しく紅葉してきます。１０月上旬頃に全て片付けします。
約５ヶ月間にわたり、ベランダで苦瓜を栽培出来るのは、この、二重プランターのおかげであると思っています。
【図面の簡単な説明】
【０００８】
【図１】  本考案の二重プランターを示した説明図。
【手続補正３】
【補正対象書類名】図面
【補正対象項目名】全図
【補正方法】変更
【補正の内容】
【図１】
0003137798.tif 000006
(57)【要約】      （修正有）【課題】袋の材質、形状および厚さに関らず止めることが可能になり、かつ密封できるようにした袋止めクリップを提供する。【解決手段】片方をピンで留めたＶ字状の棒で袋を挟み、紐で巻く。【選択図】図２
0003137795.tif 000002
【実用新案登録請求の範囲】
【請求項１】
２本の棒の一端を組み合わせピンで留め他端を開けるようにする。
前記棒の１本の他端（ピンでとめてない方）の先端の手前に紐をつける。
前記棒の２本の棒の他端の先端に紐を留めるＶ字型の切れ込みを入れた「袋止めクリップ」である。
【考案の詳細な説明】
【技術分野】
【０００１】  本考案は、各種袋の口を簡単に止める用具に関する。
【背景技術】
【０００２】  従来の止め具では、袋の形状または材質に合わせ作られ使用範囲が限定される。
【考案の開示】
【考案が解決しようとする課題】
【０００３】  しかし、これら止め具では袋の材質や形状により使い分ける必要があり、また湿気の遮断や密封ができなかったり、比較的重い物を止めるには適さなかったりした。
【課題を解決するための手段】
【０００４】  そこで、片方をピンで留めたＶ字状の棒（図１）で袋を挟み、紐で巻くことにより袋の材質、形状および厚さに関らず止めることが可能になり、かつ密封できるようになった。（図２）
【考案の効果】
【０００５】  ビニール、紙、布など袋の材質や厚さや大きさおよび袋に入れる内容物の重さに関らずあらゆる袋を簡単に止める事が出来る。
使いかけの塩、砂糖、粉およびお菓子など湿気を遮断することができる。
開封した紙パックの牛乳、ジュースなども止められるため保存性が高まる。
お米や肥料などの重いものは袋の持ち手ともなり非常に運びやすくなる。
【考案を実施するための最良の形態】
【０００６】  本考案に係る「袋止めクリップ」は図１のごとく、２本の棒を組み合わせピンで留め、Ｖ字状に開くようにしておく。この棒の片方の先端に紐をつける。棒の先端には紐を止めるためのＶ字状の切込みを作っておく。材質は木材、プラスチック、軽金属など。
【図面の簡単な説明】
【０００７】
【図１】  本考案に係る「袋止めクリップ」を開いた状態の図である。
【図２】  本考案の「袋止めクリップ」で袋を止めた図である。
【符号の説明】
【０００８】  １    棒を止めるピン
２    袋を挟む棒
３    棒を巻いて切込みに止める紐
４    紐を止める切込み
【図１】
0003137795.tif 000003
【図２】
0003137795.tif 000004
【手続補正書】
【提出日】平成19年6月20日(2007.6.20)
【手続補正１】
【補正対象書類名】実用新案登録請求の範囲
【補正対象項目名】全文
【補正方法】変更
【補正の内容】
【実用新案登録請求の範囲】
【請求項１】
２本の棒の一端を組み合わせピンで留め他端を開らけるようにし、その棒の１本に、ピンで留めてない方の他端の先端の手前に紐をつけ、２本の棒のピンで留めてない方の他端の先端に紐を留めるＶ字型の切れ込みを入れた「ピッチリ袋止めクリップ」である。
【手続補正２】
【補正対象書類名】明細書
【補正対象項目名】全文
【補正方法】変更
【補正の内容】
【考案の詳細な説明】
【技術分野】
【０００１】  本考案は、各種袋の口を簡単に止める用具に関する。
【背景技術】
【０００２】  従来の止め具では、袋の形状または材質に合わせ作られ使用範囲が限定される。
【考案の開示】
【考案が解決しようとする課題】
【０００３】  しかし、これら止め具では袋の材質や形状により使い分ける必要があり、また湿気の遮断や密封ができなかったり、比較的重い物を止めるには適さなかったりした。
【課題を解決するための手段】
【０００４】  そこで、片方をピンで留めたＶ字状の棒（図１）で袋を挟み、紐で巻くことにより袋の材質、形状および厚さに関らず止めることが可能になり、かつ密封できるようになった。（図２）
【考案の効果】
【０００５】  ビニール、紙、布など袋の材質や厚さや大きさおよび袋に入れる内容物の重さに関らずあらゆる袋を簡単に止める事が出来る。  使いかけの塩、砂糖、粉およびお菓子など湿気を遮断することができる。  開封した紙パックの牛乳、ジュースなども止められるため保存性が高まる。  お米や肥料などの重いものは袋の持ち手ともなり非常に運びやすくなる。
【考案を実施するための最良の形態】
【０００６】  本考案に係る「ピッチリ袋止めクリップ」は図１のごとく、２本の棒を組み合わせピンで留め、Ｖ字状に開くようにしておく。この棒の片方の先端に紐をつける。棒の先端には紐を止めるためのＶ字状の切込みを作っておく。材質は木材、プラスチック、軽金属など。
【図面の簡単な説明】
【０００７】
【図１】本考案に係る「ピッチリ袋止めクリップ」を開いた状態の図である。
【図２】本考案の「ピッチリ袋止めクリップ」で袋を止めた図である。
(57)【要約】      （修正有）【課題】従来、軸と軸を連結する軸継ぎ手に於いて、軸と軸継ぎ手を固定するのに軸穴を二分する切割溝を両端面から同じ位相で刻設し、軸穴が狭まる方向にボルトを締めて固定しているが、ボルトを締め付けるのに大きな力を要している。【解決手段】切割溝１４を両端から９０度位相を変えて刻設し、溝の終端を反対面の近くにまで深く刻設する。【選択図】図２
0003137799.tif 000002
【実用新案登録請求の範囲】
【請求項１】
一体部材で形成し、切割溝２を両端から９０度位相を変えて刻設し、溝の終端を反対面の近くにまで深く刻設したことを特徴とする継ぎ手。
【請求項２】
回転軸の中央穴内に実施例２の軸と穴を連結する継ぎ手３５を設置したことを特徴とする回転機構。
【考案の詳細な説明】
【技術分野】
【０１】軸芯を同一とする２軸（例えばモーター軸とボールネジ軸）を連結する一体部材で形成する軸継ぎ手に関する。
【背景技術】
【０２】（図１参照）従来、軸と軸を連結する軸継ぎ手１に於いて、軸と軸継ぎ手を固定するのに軸穴を二分する切割溝２を両端面から同じ位相で刻設し、軸穴が狭まる方向にボルト３を締めて固定している。さらに材料が変形しやすい様に円周方向に切割溝４を設けたりしている。
【課題】
【０３】切割溝２のみの場合変形量が小さく、固定するボルトの大きな締付力を必要とし、ボルトの頭が潰れて分解できないことがある。切割溝４を設ける場合は軽く締め付けられるが、加工費が高くなる。
【解決手段】
【０４】切割溝２を両端から９０度位相を変えて刻設し、溝の終端を反対面の近くまで深く刻設する。
【実施例１】
【０５】軸継ぎ手１１は一体部材で形成し、軸心に穴１２、１３を貫通さし、切割溝１４を軸心に左端面から右端面近くまで刻設する。切割溝１４とは９０度位相を変えて切割溝１５を軸心に右端面から左端面近くまで刻設する。【０６】切割溝１４と直角に固定ボルト１６、１７を左端面側に設置する。切割溝１５と直角に固定ボルト１８、１９を右端面側に設置する。【０７】穴１２、１３にそれぞれ連結対象軸を挿入し固定ボルト１６、１７或は固定ボルト１８、１９を締めると挿入した軸を圧接固定できる。
【効果】
【０８】切割溝１４と切割溝１５は９０度位相を変えることにより長く形成でき、固定ボルト１６、１７或は固定ボルト１８、１９を締めたとき、締め付け力に対して変形量が大きいから軽い締め付け力で挿入した軸を圧接固定できる。分解時も軽い力でボルトを緩めることが出来る。ボルトのレンチ用穴の損耗を少なく出来る。
【０９】切割溝１４或は切割溝１５の形状寸法は全く同じであるから、従来品の切割溝４より加工費が安くなる
【１０】変形量が大きいことは部材の柔軟性が大きいことであるから、連結対象軸の振れを吸収しやすい効果がある。部材の中央部外径を削り込むとさらに柔軟性が増す。
【１１】変形量が大きいことは、外径方向へも同じ作用があるので穴用継ぎ手として形成できる。
【１２】固定ボルトは左右で干渉しないぎりぎりの位置に設置できるので継ぎ手長さを短く形成できる。
【実施例２】
【１３】継ぎ手２１は左側を軸継ぎ手２２、右側を穴継ぎ手２３とする。軸継ぎ手２２は実施例１の左側と同じ構成とする。右側の穴継ぎ手２３は軸継ぎ手２２より少し外径を大きくし、連結対象穴と嵌合するよう精密に形成し切割溝２４も実施例１と同様に形成する。右端面より軸芯にテーパーネジ穴２５を刻設し、テーパーボルト２６を挿入する。【１４】右側の穴継ぎ手２３を連結対象穴に挿入しテーパーボルト２６をねじ込むと外径が増大し挿入穴を圧接固定する。
【効果】
【１５】軸と軸、軸と穴、穴と穴の組み合わせの継ぎ手が提供できる。
【１６】テーパーボルト２６でなく、内径をテーパー穴としボールを打ち込んで固定する方式も提供できる。
【１７】穴継ぎ手２３の外形の一部に欠損部２７を設けて、連結対象穴との接触点２８を分散さし、偏芯を小さくする。
【実施例３】
【１８】本考案の継ぎ手を使用して構成する回転機構。【１９】回転機構３０は、モーター３１の回転を回転軸３２に伝える回転機構。回転軸３２はベアリング３３により本体３９に回転自在に軸支され、回転軸３２の中央穴３４内に実施例２の軸と穴を連結する継ぎ手３５を設置し、モーター軸３６と中央穴３４とを連結し、モーター３１の回転を回転軸３２に伝える。
【効果】
【２０】回転軸３２の軸方向長さの内にモーター軸３６と継ぎ手３５を内蔵でき、回転機構３０を小型化できる。
【２１】中央穴３４と継ぎ手３５の連結、解除のためのテーパーボルト３７の操作が外部より可能なので、組み立て、分解、保守が容易である。
【２２】回転機構３０の軸方向長さを短くできるので、平面設置の回転テーブルとするとき高さの低いコンパクトな装置を提供できる。
【図面の簡単な説明】
【２３】
【図１】  従来品の軸継ぎ手１の立体図
【図２】  実施例１の軸継ぎ手１１の立体図
【図３】  実施例２の継ぎ手２１の立体図
【図４】  実施例２の穴継ぎ手２３の側面図
【図５】  実施例３の回転機構の断面図
【符号の説明】
【２４】  １：軸継ぎ手  ２：切割溝  ３：ボルト  ４：切割溝  １１：軸継ぎ手
１２：穴  １４：切割溝  １６：ボルト  ２１：継ぎ手
３０：回転機構
【図１】
0003137799.tif 000003
【図２】
0003137799.tif 000004
【図３】
0003137799.tif 000005
【図４】
0003137799.tif 000006
【図５】
0003137799.tif 000007
【手続補正書】
【提出日】平成19年8月31日(2007.8.31)
【手続補正１】
【補正対象書類名】実用新案登録請求の範囲
【補正対象項目名】全文
【補正方法】変更
【補正の内容】
【実用新案登録請求の範囲】
【請求項１】
一体部材で形成し、切割溝２を両端から９０度位相を変えて刻設し、溝の終端を反対面の近くにまで深く刻設したことを特徴とする継ぎ手。
【請求項２】
回転軸の中央穴内に、該穴とモーター軸を連結する請求項１の継ぎ手を設置したことを特徴とする回転機構。
(57)【要約】      （修正有）【課題】入浴中などに風呂水にうかべフィルターを通ることにより、浮遊しているゴミを浮遊しながら除去する電動器具を提供する。【解決手段】バルーン部分がフレームに囲まれているため、その間から風呂水が入りフィルターをとおることでポンプから浴槽内にゴミを取り除かれた状態で風呂水を戻す。充電式で使用、これを繰り返す。【選択図】図１
0003137800.tif 000002
【実用新案登録請求の範囲】
【請求項１】
（１）風呂水に浮かせ、ポンプ内に入ってきた水を自動的に吐き出させながら器具内部にあるフィルターでゴミを集め除去。
【考案の詳細な説明】
【技術分野】
【０００１】この考案は、風呂水がフィルターを通ることにより風呂水のゴミを取り除き、風呂水を再利用する充電式の器機である
【技術背景】
【０００２】従来、手ですくうタイプだった。
【考案の開示】
【考案が解決しようとする課題】
【０００３】いちいち手ですくわなくてもよくリラックスできる。【０００４】何度もすくいながら使用すると、ゴミがまた風呂水内にもどる。【０００５】たまったゴミの後処理が面倒。
【課題を解決するための手段】
【０００６】充電式モーター（５）部上部に吐き出しポンプ（４）を内蔵、側面にスイッチ（６）を設置、吐き出しポンプの力でフィルター（３）部分を通った水からゴミを集める。フレーム（２）に固定されているバルーン（１）上部は、ひねると簡単に外すことができる。
【考案の効果】
【０００７】電動式のため、いちいち手ですくうこともなく、１度取り除いたゴミも再度風呂水内に戻ることもなく、入浴中などにただ浮かせるだけでゴミ等を自動的に除去、取り扱いも非常に簡単。小型化し、観賞用熱帯魚の水槽での利用も可能。充電することで繰り返し使用でき風呂水を清潔に再利用できる。
【考案を実施するための最良の形態】
【０００８】バルーン外側の数ケ所をフレームで止めることにより、より浮力が増し、風呂水をポンプの力で本体外部に吐き出させることで途中にあるフィルターがゴミを集め除去できる、無駄がないコンパクトな形態。
【実施例】
【０００８】小型モーターのため、浴室内でも音が静かでゆっくりあちこちを浮遊。【０００９】ゴミも除去でき、そのゴミを捨てるときなど操作、取り扱いが簡単。
【産業上の利用可能性】
【００１０】高価なものでも特別なものでもなく、機能も簡単なため誰でも購入、使用可能。
【図面の簡単な説明】
【００１１】
【図１】バスアップを示した平面図である
【図２】バスアップを示した上部からの図面である。
【符号の説明】
１  バルーン    ２  フレーム    ３  フィルター    ４  ポンプ
５  モーター    ６  スイッチ    ７  バルーンと本体の止め具（スペーサー）
【図１】
0003137800.tif 000003
【手続補正書】
【提出日】平成19年9月1日(2007.9.1)
【手続補正１】
【補正対象書類名】実用新案登録請求の範囲
【補正対象項目名】全文
【補正方法】変更
【補正の内容】
【実用新案登録請求の範囲】
【請求項１】
風呂水に浮かせ、本体内入ってきた水が本体内部の循環モーター内を通りぬけることにより、モーター上部に取り付けた脱着式のフィルターでゴミを集め、循環モーターを通り抜けた水のみを再度浴槽内に戻す小型の電動ゴミ取り循環器のバスアップ。
【手続補正２】
【補正対象書類名】図面
【補正対象項目名】全図
【補正方法】変更
【補正の内容】
【図１】
0003137800.tif 000004
【図２】
0003137800.tif 000005
(57)【要約】      （修正有）【課題】トレハロース水溶液に銀を配合した開花延命剤を提供する。【解決手段】トレハロース３水溶液に銀４を主成分とする腐敗防止剤を配合し、長期保存できる開花延命剤。【選択図】図１
0003137741.tif 000002
【実用新案登録請求の範囲】
【請求項１】
トレハロース水溶液に銀濃度が０．１〜３０００ｐｐｍの腐敗防止剤を配合したものをプラスチック容器に密封してなる開花延命剤。
【考案の詳細な説明】
【技術分野】
【０００１】
本考案は、開花延命剤に関する。
【背景技術】
【０００２】
切花の長期保存には適量の栄養分が必要とされているが、それが水の腐敗を促進してしまう問題がある。
【考案の開示】
【考案が解決しようとする課題】
【０００３】
トレハロース水溶液を開花延命剤として保存しようとすると、時間経過と共に腐敗が進む。
【課題を解決するための手段】
【０００４】
この課題を解決するための請求項１の考案は、銀を主成分とする腐敗防止剤をトレハロース水溶液に配合した開花延命剤。
【考案の効果】
【０００５】
本考案によりトレハロース水溶液の腐敗を防ぎ、長期保存が可能になる。
【考案を実施するための最良の形態】
【０００６】
トレハロースの濃度が１〜２０％のトレハロース水溶液と銀濃度が０．１〜３０００ｐｐｍの腐敗防止剤を１：１の割合で配合する。
【図面の簡単な説明】
【０００７】
【図１】本考案の正面断面図である。
【符号の説明】
【０００８】
１．容器
２．水
３．トレハロース
４．銀
【図１】
0003137741.tif 000003